(57)【特許請求の範囲】
【請求項１】
天板と、該天板を支える脚と、を備えるデスクであって、該デスクと同種の他のデスクに対し、両デスクの天板が並置され該両デスクが連結されることで対のデスクの集合体を形成可能とする組み立てデスクであって、
前記他のデスクとの連結領域に沿って且つ自己のデスクの天板端部と該他のデスクの天板端部との間に設けられ、該自己のデスクへの所定配線量のケーブルを収納可能なケーブル収納部を、更に備え、
前記ケーブル収納部は、前記天板側に開口し且つ前記ケーブル収納部に収納されたケーブルへのアクセスを可能とするアクセス開口部と、
前記ケーブルを収納し、前記天板側に開口する収納部本体と、
前記収納部本体の開口面の一部又は全部を覆うカバー部材と、
前記収納部本体に対して前記カバー部材を連結するカバー連結部材と、を有し、
前記カバー部材は、該カバー部材の一部又は全部が前記連結部材に対して相対的に開閉することで前記アクセス開口部を形成し、前記収納部本体に収納されたケーブルを外部に引き出し可能とする蓋部を有し、
前記ケーブル収納部は、カバー面積の異なる複数種類の前記カバー部材のうち一のカバー部材を選択的に前記カバー連結部材に連結することで、前記アクセス開口部の広さが、前記自己のデスクへの所定配線量に応じて選択的に変更可能となる、
組み立てデスク。
【請求項２】
前記収納部本体に対して固定された一の前記カバー連結部材に対して、該カバー連結部材へ連結される前記カバー部材の種類の変更が可能である、
請求項１に記載の組み立てデスク。
【請求項３】
前記カバー部材は、前記カバー連結部材と該カバー部材との連結に関して両者の相対位置関係を変更して連結を行うことで、前記蓋部の開口方向を変更することが可能である、
請求項１又は２に記載の組み立てデスク。
【請求項４】
前記収納部本体に対して固定された一の前記カバー連結部材に対して、該カバー連結部材と前記カバー部材との連結に関する両者の相対位置関係の変更が可能である、
請求項３に記載の組み立てデスク。
【請求項５】
前記収納部本体と前記カバー連結部材は、一体的に形成されている、
請求項１から請求項４の何れかに記載の組み立てデスク。
【請求項６】
請求項１から請求項５の何れかに記載の組み立てデスクを二台並べ、互いの脚を連結させて対になるように形成された、組み立てデスクの集合体であって、
両組み立てデスクの天板の端部同士の間に前記ケーブル収納部が備えられる、
組み立てデスクの集合体。
【請求項７】
請求項６に記載の組み立てデスクの集合体であって、
対をなす前記二台のデスクの脚は、両デスクに共通する脚部材で構成される、
組み立てデスクの集合体。
【請求項８】
請求項６又は請求項７に記載の組み立てデスクの集合体であって、
前記天板に対して立設されるパネルと、
前記パネルを支持し、該パネルを前記天板に対して取り付け状態とするパネル支持部と、を備え、
前記対になるように形成された二台の組み立てデスクの天板の端部同士の間において前記アクセス開口部の広さが変更されることで生じる前記天板上の所定空間に、前記パネル支持部が取り付けられる、
組み立てデスクの集合体。
【請求項９】
前記パネル支持部は、
前記天板上の所定空間に設けられ、長手方向に沿った溝部を有するパネル支持レーン部材と、
前記パネルを保持する保持部材であって、前記溝部を介して前記パネル支持レーン部材に対して固定されることで、該パネル支持レーンに対して立設状態となるパネル保持部材と、を有し、
前記パネル保持部材は、前記溝部の任意の位置で、前記パネル支持レーン部材に対して固定可能である、
請求項８に記載の組み立てデスクの集合体。
【請求項１０】
天板と、該天板を支える脚と、を備える組み立てデスクであって、該組み立てデスクと同種の他の組み立てデスクに対し、両組み立てデスクの天板が並置され該両組み立てデスクが連結されることで形成される複数の組み立てデスクの集合体であって、
前記集合体における組み立てデスクのうち、天板同士が連結状態となっている一対の組み立てデスクのそれぞれは、その連結領域に沿って且つ該一対における両組み立てデスクの天板端部同士の間に設けられ、該組み立てデスクへの所定配線量のケーブルを収納可能なケーブル収納部を、更に備え、
前記一対の組み立てデスクのそれぞれの備えるケーブル収納部は、前記天板側に開口し且つ前記ケーブル収納部に収納されたケーブルへのアクセスを可能とするアクセス開口部と、
前記ケーブルを収納し、前記天板側に開口する収納部本体と、
前記収納部本体の開口面の一部又は全部を覆うカバー部材と、
前記収納部本体に対して前記カバー部材を連結するカバー連結部材と、を有し、
前記カバー部材は、該カバー部材の一部又は全部が前記連結部材に対して相対的に開閉することで前記アクセス開口部を形成し、前記収納部本体に収納されたケーブルを外部に引き出し可能とする蓋部を有し、
前記ケーブル収納部は、カバー面積の異なる複数種類の前記カバー部材のうち一のカバー部材を選択的に前記カバー連結部材に連結することで、前記アクセス開口部の広さが、
前記自己のデスクへの所定配線量に応じて選択的に変更可能となる、
組み立てデスクの集合体。
【請求項１１】
前記一対の組み立てデスクにおいて、前記アクセス開口部の広さが変更されることで生じる前記天板端部同士の間の所定空間に設けられ、該一対の組み立てデスクの天板に対して立設するパネルを有する、
請求項１０に記載の組み立てデスクの集合体。
【発明の詳細な説明】
【技術分野】
【０００１】
本発明は、同種の組み立てデスクを複数台並べて連結させることで形成される組み立てデスクの集合体、およびその集合体を構成する組み立てデスクに関する。
【背景技術】
【０００２】
オフィスや会議場等の比較的広い空間では、複数台のデスクを並べてそれらを連結することで、デスクの集合体である一つの大きなデスクを形成する場合がある。このように形成された集合体であるデスクでは、複数人のユーザが同時に作業を行うことができ、空間の効率的利用が図られるとともに、該空間が乱雑になることを防ぐこともできる。しかし、このような複数デスクの集合体では、当然に作業に供する道具、例えばコンピュータやディスプレイ等の電子機器等もデスク上に集約されることになるので、それらに電力や信号を供給等するケーブルの配線量も相当量に達する。そこで、これらのケーブルを適切に収納し、デスク上が乱雑になることを防ぐ技術が公開されている（例えば、特許文献１を参照。）。この技術では、一の組み立てデスクと他の組み立てデスクとの間に側面視上向きコ字状をした配線ダクトが設けられている。
【０００３】
また、先のような側面視上向きコ字状をした配線ダクトの場合、デスク上に該ダクトの溝部が開口するため、実質的にデスク集合体の表面積（天板の合計面積）が小さくなり、効率的な作業が阻害される恐れがある。そこで、その点を考慮しつつ意匠性を考慮した配線デスクのカバーに関する技術が公開されている（例えば、特許文献２を参照。）。
【０００４】
またデスク上にディスプレイ等を配置するとき、それを設置するためのパネルが設けられていることが好ましい場合がある。そこで、このパネルをスライドすることでデスク上の任意の位置に配置させることを可能とする技術が公開されている（例えば、特許文献３を参照。）。
【特許文献１】特開２００５−２８７５７２号公報
【特許文献２】特開２００６−６７７１号公報
【特許文献３】特開２００４−２７５３１４号公報
【特許文献４】特開２００５−２５３７４３号公報
【特許文献５】特開２００５−３２８８６３号公報
【特許文献６】特開２００６−３２０５９２号公報
【特許文献７】特開２００６−３４６０８３号公報
【特許文献８】特開２００６−９５０６８号公報
【発明の開示】
【発明が解決しようとする課題】
【０００５】
複数のデスクによる集合体を形成するための構成単位となる個々の組み立てデスクや、その集合体においては、形成される集合体の大きさやそれぞれの組み立てデスクで使用される電子機器等の数量等によって、必要とされるケーブルの配線量が大きく異なってくる。即ち、集合体が大きくなればなるほど、全体で使用される電子機器等が増えるため配線量は多くなり、また個々の組み立てデスクで使用される電子機器等が多くなっても配線量は増えることになる。従って、ユーザごとの配線量の変動に対応するためには、ケーブルの配線のために使用する配線ダクトには、空間的にある程度の余裕が必要とされる。
【０００６】
しかし、配線ダクトが不必要に大きいと、結果として個々の組み立てデスクの天板面積が狭くなったり、またデスク上の空間を効率的に利用できなくなったりする可能性がある。
【０００７】
本発明では、上記した問題に鑑み、複数の組み立てデスクの集合体において、組み立てデスクでの作業に供される電子機器等のケーブルの適切な収納と、組み立てデスク上の空間の効率的利用の両立を図ることを目的とする。
【課題を解決するための手段】
【０００８】
上記課題を解決するために、本発明では、複数のデスクの集合体を構成する組み立てデスクにおいて、ケーブルを収納するケーブル収納部へアクセスするための開口部広さ、即ち開口部の面積を、各組み立てデスクへの配線量に応じて選択的に変更可能とした。これにより、ケーブルへのアクセスに要する広さを適切な広さとして、その他のデスク上の空間をユーザの作業のために利用することが可能となる。
【０００９】
詳細には、本発明は、天板と、該天板を支える脚と、を備えるデスクであって、該デスクと同種の他のデスクに対し、両デスクの天板が並置され該両デスクが連結されることで対のデスクの集合体を形成可能とする組み立てデスクであって、前記他のデスクとの連結領域に沿って且つ自己のデスクの天板端部と該他のデスクの天板端部との間に設けられ、該自己のデスクへの所定配線量のケーブルを収納可能なケーブル収納部を、更に備え、前記ケーブル収納部は、前記天板側に開口し且つ前記ケーブル収納部に収納されたケーブルへのアクセスを可能とするアクセス開口部を有し、該アクセス開口部の広さは、前記自己のデスクへの所定配線量に応じて選択的に変更可能である。
【００１０】
本発明に係る組み立てデスクでは、その集合体において、上記ケーブル収納部は、対となる組み立てデスクの天板の端部同士の間に配置される。一般的には、組み立てデスク同士の結合領域の近傍には、ユーザが位置することができないため、ユーザはその連結領域からある程度離れた場所に位置して、その組み立てデスクの天板上で必要な作業を行うことになる。従って、ケーブル収納部は、ユーザから離れた場所に位置し、ユーザの作業に影響を及ぼしにくい。
【００１１】
尚、ケーブル収納部は、そこにケーブルを収納するものであるから、デスクを利用するユーザがそのケーブルにアクセスできる必要がある。そこで、本発明に係る組み立てデスクでは、ケーブル収納部に収納されたケーブルへのアクセスは、該ケーブル収納部の開口部であるアクセス開口部を介して行われる。これによりユーザの作業に供される電子機器等とケーブル収納部に収納されたケーブルとの接続性が良好となる。そして、このアクセス開口部の広さは、その組み立てテーブルへの所定配線量、即ち該組み立てテーブル毎に配線されるべきケーブルの配線量によって選択的に変更可能となっている。このようにすることで、ケーブル収納部内へのアクセスのための開口面積を適切な広さとすることができ、言い換えると該開口面積を過度に広くすることを回避できる。そして、その結果として、ケーブルへのアクセスに必要ではない空間は何らかの形でユーザのなすべき作業のために利用することが可能であるから、以てデスク上の空間を効率的に利用することが可能となる。
【００１２】
ここで、上記組み立てデスクにおいて、前記ケーブル収納部は、前記ケーブルを収納し、前記天板側に開口する収納部本体と、前記収納部本体の開口面の一部又は全部を覆うカバー部材と、前記収納部本体に対して前記カバー部材を連結するカバー連結部材と、を有し、前記カバー部材は、該カバー部材の一部又は全部が前記連結部材に対して相対的に開閉することで前記アクセス開口部を形成し、前記収納部本体に収納されたケーブルを外部に引き出し可能とする蓋部を有するようにしてもよい。
【００１３】
このようにカバー部材を設けることで、ケーブル収納部本体の開口面をカバー部材で覆うことになり、その覆われた部位の上方の空間をユーザは何らかの形で自己の作業に利用
できる。また、収納されているケーブルへのアクセスについては、蓋部で形成されるアクセス開口部を介して行われるため、そのアクセス性は失われない。従って、このように構成された組み立てデスクでは、ケーブルの収納および該ケーブルへのアクセスと、デスク上の空間の効率的利用が十分に図られるのである。
【００１４】
上述までの組み立てデスクにおいて、前記ケーブル収納部は、複数種類の前記カバー部材のうち一のカバー部材を選択的に前記カバー連結部材に連結することで、前記アクセス開口部の広さが、前記自己のデスクへの所定配線量に応じて選択的に変更可能となるようにしてもよい。即ち、ユーザが自己の作業に応じてカバー部材の種類を選択的に組み立てデスクに取り付けることで、そこでの作業効率を向上させることが可能となる。そして、このように構成される組み立てデスクでは、前記収納部本体に対して固定された一の前記カバー連結部材に対して、該カバー連結部材へ連結される前記カバー部材の種類の変更が可能であることが好ましい。即ち、カバー連結部材を変更しない共通部材としながらカバー部材を変更することで、ケーブルの収納とデスク上の空間の効率的利用を両立できるようになり、ユーザの利便性が上がる。
【００１５】
また、上述までの組み立てデスクにおいて、前記カバー部材は、前記カバー連結部材と該カバー部材との連結に関して両者の相対位置関係を変更して連結を行うことで、前記蓋部の開口方向を変更することが可能であるようにしてもよい。即ち、ユーザが自己の作業に応じてカバー部材とカバー部材との相対位置関係を変更することで、蓋部によるアクセス開口部の開口方向を変更でき、以て組み立てデスクでの作業効率を向上させることが可能となる。そして、このように構成される組み立てデスクでは、前記収納部本体に対して固定された一の前記カバー連結部材に対して、該カバー連結部材と前記カバー部材との連結に関する両者の相対位置関係の変更が可能となるようにするのが好ましい。即ち、カバー連結部材を変更しない共通部材としながらカバー部材とカバー連結部材との相対位置関係を変更することで、ケーブルの収納とデスク上の空間の効率的利用を両立できるようになり、ユーザの利便性が上がる。
【００１６】
また、上述までの組み立てデスクにおいて、前記収納部本体と前記カバー連結部材は、それぞれ別部材で形成されても良いが、それに代えて一体的に形成されるようにしてもよい。これにより、部品点数を削減することができる。
【００１７】
ここで、上記課題を解決すべく、本発明を対の組み立てデスクによる集合体の側面から捉えることも可能である。詳細には、本発明は、上述までの組み立てデスクを二台並べ、互いの脚を連結させて対になるように形成された、組み立てデスクの集合体であって、両組み立てデスクの天板の端部同士の間に前記ケーブル収納部が備えられる、組み立てデスクの集合体である。尚、この集合体において、対をなす前記二台のデスクの脚は、両デスクに共通する脚部材で構成されるようにしてもよい。これにより、部品点数を削減できる。
【００１８】
また、上記組み立てデスクの集合体において、該集合体は、前記天板に対して立設されるパネルと、前記パネルを支持し、該パネルを前記天板に対して取り付け状態とするパネル支持部と、を備え、前記対になるように形成された二台の組み立てデスクの天板の端部同士の間において前記アクセス開口部の広さが変更されることで生じる前記天板上の所定空間に、前記パネル支持部が取り付けられるようにしてもよい。
【００１９】
パネルは天板に対して立設した状態となるので、組み立てデスクでのユーザの作業に有用である。例えば、コンピュータのディスプレイや、書類等の収納トレイ等をパネルに設けることができる。ここで、このパネルを設けるにあたっては、上述したアクセス開口部の広さの変更に応じて、言い換えると、変更の結果パネル設置のためのパネル支持部を配
置する空間、即ち上記所定空間が生じる場合には、その所定空間を利用してパネルの立設を行っても良い。これにより、デスク上の空間をより効率的に利用できるようになる。
【００２０】
ここで、上記のパネルが立設される組み立てデスクにおいて、前記パネル支持部は、前記天板上の所定空間に設けられ、長手方向に沿った溝部を有するパネル支持レーン部材と、前記パネルを保持する保持部材であって、前記溝部を介して前記パネル支持レーン部材に対して固定されることで、該パネル支持レーンに対して立設状態となるパネル保持部材と、を有するようにし、前記パネル保持部材は、前記溝部の任意の位置で、前記パネル支持レーン部材に対して固定可能としてもよい。
【００２１】
本発明に係る組み立てデスクでは、パネル支持部材として、パネル支持レーン部材とパネル保持部材を使用すると、パネル支持レーン部材の溝部を介して、該パネル支持レーン部材とパネル保持部材とが相対位置を任意に変更することができ、以てパネルの位置をユーザの目的に応じた任意の位置とすることが可能となる。その結果、ユーザの作業性向上が図られる。
【００２２】
次に、上記課題を解決すべく、本発明を複数のデスクの集合体の側面から捉えることも可能である。詳細には、本発明は、天板と、該天板を支える脚と、を備えるデスクであって、該デスクと同種の他のデスクに対し、両デスクの天板が並置され該両デスクが連結されることで形成される複数のデスクの集合体であって、前記集合体における複数のデスクのうち、天板同士が連結状態となっている一対のデスクのそれぞれは、その連結領域の近傍の、自己のデスクの前記天板の一部に設けられ且つ該自己のデスクへの所定配線量のケーブルを収納可能なケーブル収納部を、更に備え、前記一対の組み立てデスクのそれぞれの備えるケーブル収納部は、前記天板側に開口し且つ前記ケーブル収納部に収納されたケーブルへのアクセスを可能とするアクセス開口部を有し、該アクセス開口部の広さは、前記自己のデスクへの所定配線量に応じて選択的に変更可能である、複数デスクの集合体である。このような複数デスクの集合体では、上述したように、デスクでの作業に供される電子機器等のケーブルの適切な収納と、各デスク上の空間の効率的利用との両立が図られる。
【００２３】
また、上記組み立てデスクの集合体での、前記一対の組み立てデスクにおいて、前記アクセス開口部の広さが変更されることで生じる前記天板端部同士の間の所定空間に設けられ、該一対の組み立てデスクの天板に対して立設するパネルを有するようにしてもよい。これによりデスク上の空間の効率的利用が図られるのは、上述の通りである。
【発明の効果】
【００２４】
組み立てデスクおよびその集合体において、複数のデスクの集合体において、該デスクでの作業に供される電子機器等のケーブルの適切な収納と、デスク上の空間の効率的利用の両立を図ることが可能となる。
【発明を実施するための最良の形態】
【００２５】
ここで、本発明に係る組み立てデスク１ａおよび、その組み立てデスク１ａが二台対になって形成される集合体１について、図１に基づいて説明する。図１は、該組み立てデスク１ａによる集合体１の全体構成を示す図である。組み立てデスク１ａの集合体１は、ユーザの作業場となる天板３を有し、その両側に天板３を支えるための脚２が二つ設けられている。尚、本実施例における集合体１においては、二台の組み立てデスク１ａは左右それぞれに共通の脚２が設けられているが、これを各組み立てデスク１ａ毎に設けるようにしてもよい。
【００２６】
更に、二台に組み立てデスク１ａの間、即ち集合体の中央部分に、これらの組み立てデ
スク１ａで作業するユーザが使用する電子機器等に電力や信号を供給するためのケーブルを収納するケーブルダクト４が、各組み立てデスク１ａの天板の幅方向に沿って備えられている。このケーブルダクト４は、天板側に開口をしており、その開口面を覆うように、カバー部材７、レーン部材６、固定部材５が設けられる。ケーブルダクト４を含むこれらの各部材については、後述する。
【００２７】
尚、本発明の実施例では、組み立てデスク１ａにおいて、通常ユーザが位置し、実際に作業を行う側をデスク正面側とし、その奥側をデスク背面側とする。集合体１では、組み立てデスク１ａが、そのデスク背面側同士を突き合わせた状態で連結されることで形成される。よって、組み立てデスク１ａのデスク背面側部分は、集合体１においてはその中央部分に位置することになる。そして、ユーザは組み立てデスク１ａの正面側に位置して、天板３上に置かれたコンピュータやディスプレイ等の電子機器を使用して作業を行う。
【００２８】
また、図１に示す組み立てデスク１は、主に脚２と天板３によってデスクとしての機能を果たすが、その他に引き出し等の要素を有し、デスクとしての機能を拡充しても構わない。また、脚２や天板３の形状は、図示の形状に限られるものではない。
【００２９】
ここで、一対の組み立てデスク１ａによる集合体１の一例を図２に示す。図２に示す状態では、二台の組み立てデスク１ａが互いの背面側を突き合わせた状態で連結されることで一対となる。更に、その一対の組み立てデスクによる集合体が、同種の他の集合体と、互いの天板３の側部同士がつながるように、換言すると片側の脚２が接触するように連結されることで、合計で四台の組み立てデスク１ａの集合体１００が形成されている。
【００３０】
このように組み立てデスク１ａの集合体１００を形成すると、デスクが置かれるオフィス等の空間を効率的に使用することが可能となる。この場合、ユーザは、いわばデスクの集合体１００に集まって各個人の作業を行うことになるが、昨今ではコンピュータやその関連周辺機器を利用しての作業が多くなっているため、それらに必要な多種多様な電力供給ケーブルや通信ケーブルを各組み立てデスク１ａに配線する必要がある。
【００３１】
そのため、本発明に係る組み立てデスク１ａには、上記ケーブルダクト４が設けられており、これにより効率的なケーブル収納と、天板上の空間の効率的利用とを両立している。以下図３、図４Ａ、４Ｂに基づいて、集合体１およびそれに設けられているケーブルダクト４の詳細な説明を行う。
【００３２】
図３は、二台の組み立てデスク１ａを含む集合体１００の天板３を外した状態を示している。尚、図３では、図１に示したケーブルダクト４の開口面を覆う、カバー部材７、レーン部材６、固定部材５の記載は省略している。このように二枚の脚２をそれらの中央部分でつなぐようにケーブルダクト４が両脚２に接続される。このケーブルダクト４は、上方に（天板３が設置される側に）開口する、側面視上向きコ字状の形状を有しており、その開口面に上記カバー部材７等が設置される。
【００３３】
ここで、一方の脚２（図３において奥側の脚２）は、その中央部に縦方向に延びる貫通窓２ａを有する。そして、上記ケーブルダクト４の、両脚２側の端部のうち該貫通窓２ａが設けられた方の端部は、該貫通窓２ａと連通している（図４Ａを参照。該図は、主にケーブルダクト４の断面を示している）。従って、外部の電源や信号供給源につながれたケーブルは、この貫通窓２ａを介してケーブルダクト４内に引き込まれることになる。また、天板３は、このケーブルダクト４の開口面と干渉しない位置で、それぞれの脚２と接合される。これにより、組み立てテーブル１ａによる集合体１が形成される。また、図４Ｂは、集合体１００を上方から見た図である。これらの図４Ａ、４Ｂの図には、集合体１００の組み立てデスクで作業するユーザの作業効率向上に資するパネル８０が設けられてい
るが、この点については後述する。
【００３４】
次に、上述したようにケーブルダクト４の開口面を覆うように設けられる、カバー部材７、レーン部材６、固定部材５について、図５〜図９に基づいて説明する。図５の左側は、これらの三者がケーブルダクト４の開放面を覆うときの三者の状態を示しており、図５の右側は、それぞれを分離させて記載した状態である。この二つの固定部材５は、ケーブルダクト４の両端部（二つの脚２が設けられる端部）に設置された状態で、レーン部材６が連結されることで、該レーン部材６をケーブルダクト４に固定するための部材である。レーン部材６が固定されることで、図４Ａ、４Ｂに示すようにパネル８０を組み立てデスク１ａの天板３に対して立設することが可能となる。この点については後述する。
【００３５】
ここで、図６には（ａ）〜（ｄ）までの小図があり、図６（ａ）はケーブルダクト４の端部を上方から見た図である。このように該端部の上面には、後述するカバー固定部材９を取り付けるための、取付孔８が二つ設けられている。図６（ｂ）は、ケーブルダクト４の端部を側方から見た図である。また、図６（ｃ）は図６（ａ）と同様に上方から見た図であり、図６（ｄ）は図６（ｂ）と同様に側方から見た図である。ここで、図６（ｃ）、（ｄ）に示すように、ケーブルダクト４の端部上面に設けられた取付孔８に、カバー固定部材９が取り付けられる。具体的には、カバー固定部材９の下方に設けられた二つの引っ掛け部が取付孔８にはめ込まれることで、該カバー固定部材９の取り付けが実行される。尚、上記固定部材５は、図６（ｃ）に示すケーブルダクト４の端部上面の空いているスペース（カバー固定部材９に干渉しないスペース）に取り付けられる（図６（ｃ）では固定部材５の記載は省略している。）。
【００３６】
このように固定部材５およびカバー固定部材９が取り付けられたケーブルダクト４に対する、カバー部材７およびレーン部材６の取り付けについて、図７および図８に基づいて説明する。図７は、カバー部材７の取付態様の一例を側面からの視点で示している。ここで、カバー部材７は、第一カバー部７ａと第二カバー部７ｂから構成されている。第一カバー部７ａは、固定端７ｃを有し、該固定端７ｃがカバー固定部材９と連結されることで、第一カバー部７ａは、ケーブルダクト４に対して固定した状態となる。一方で、第二カバー部７ｂは、第一カバー部７ａに対して回転連結端７ｄを介して回転可能な状態で連結される。即ち、第二カバー部７ｂが有する球状の回転連結端７ｄが第一カバー部７ａにはめ込まれることで、第二カバー部７ｂが第一カバー部７ａに対して相対的に回転可能な状態となる。
【００３７】
従って、カバー部材７がカバー固定部材９に対して連結されると、即ち第一カバー部７ａの固定端７ｃがカバー固定部材９に固定されると、第一カバー部７ａは、ケーブルダクト４の開口面の一部を常時覆った状態となるが、第二カバー部７ｂは、第一カバー部７ａに対して相対回転が可能であるため、必要に応じてケーブルダクトの開口面を外部に開放することが可能となる。即ち、この第二カバー部７ｂが、本発明におけるアクセス開口部を形成する蓋部に相当する。
【００３８】
尚、本実施例に係るカバー固定部材９は、図７に示すように所定の間隔に並び、上記固定端７ｃを受けて第一カバー部７ａをケーブルダクト４に対して固定状態とする固定端受け部９ａを三個有している。図７（ａ）では、第二カバー部７ｂが天板３側に位置するようにカバー部材７が配置され、そしてケーブルダクト４に対して固定されるが、このとき固定端７ｃは、三個の固定端受け部９ａのうち、図７中最も天板３側に位置する固定端受け部９ａによって受けられる。
【００３９】
図７（ｂ）には、カバー部材７およびレーン部材６がそれぞれの固定部材で固定され、ケーブルダクト４の開口面を完全に覆った状態を示している。このようにレーン部材６を
挟んで、左右にカバー部材７が配置されるが、このとき、第二カバー部７ｂは、それぞれの組み立てデスク１ａの天板３に沿う位置に配置される。従って、図７（ｂ）に示す状態では、アクセス開口部は天板３近傍に形成される。
【００４０】
一方で、本実施例に係る組み立てデスク１ａによる集合体１では、カバー部材７のカバー固定部材９への取り付けにあたり、第二カバー部７ｂと第一カバー部７ａの向きを逆にすることも可能である。その状態を図８に示す。図８に示される状態は、図７（ｂ）に示される状態と比べて、第二カバー部７ｂと第一カバー部７ａの位置関係が逆になっているが、カバー固定部材９のケーブルダクト４への取り付け状態には変更はない。このとき、第一カバー部７ａの固定端７ｃは、三個の固定端受け部９ａのうち、図７中、中央に位置する固定端受け部９ａによって受けられる。即ち、ユーザは、カバー固定部材９の取り付け位置を変えることなく、カバー部材７の向きを変えるだけで、アクセス開口部をレーン部材６側に形成することが可能となる。
【００４１】
次に、レーン部材６の構成を、図９に基づいて説明する。レーン部材６は、パネル８０を組み立てデスク１ａの天板３に対して立設するための部材である。図９（ａ）はレーン部材６の外観図であり、図９（ｂ）はレーン部材６の断面図である。レーン部材６の断面形状は、ベース部６０から左右に隔壁６１が延び、レーン部材６の断面における左右上方端に頂点Ｑを形成する。そして、一の頂点Ｑから他の頂点Ｑに向かって、壁面６２がそれぞれから延びている。一の頂点Ｑから延びる壁面６２と、他の頂点Ｑから延びる壁面６２は、両頂点Ｑの中間手前まで延びているが両者は接触しない。従って、対向する壁面６２、６２（以下、「一対の壁面６２」と称する。）との間には、開口部６３が形成される。また、一対の壁面６２と隔壁６１とベース部６０とによって、溝部６４が形成される。これらの開口部６３および溝部６４は、図９（ａ）に示すように、レーン部材６の長手方向にその全長にわたって延びている。
【００４２】
このレーン部材６は、開口部６３が組み立てデスク１ａの天板側（上方）に開口するように、固定部材５によってケーブルダクト４に固定される。そして、このレーン部材６において、図１０〜図１３で示されるスライディングブロックを利用して任意の位置にパネル８０を支持する支持部材を立て、以てパネルの利用をユーザに提供することが可能となる。以下に、該スライディングブロックについて説明する。
【００４３】
スライディングブロックは、図１０に示す付勢部材７２と図１１に示すベース部材７３とで構成される。この二つは、完全に別個の部材である。付勢部材７２は、輪郭形状を有する付勢部７２ａと、付勢部７２ａから一の方向に突出した突起部７２ｂと、突起部７２ｂとは反対の方向に付勢部７２ａから突出した突起部７２ｃから構成される。付勢部７２ａは、突起部７２ｂと突起部７２ｃが設けられた各点を結ぶ線に対して線対称に形成される。具体的な付勢部７２ａの形状は、各突起部近傍（図中Ｒ１で示される領域）では線対称の中心線に若干沿う形状であり、更に付勢部７２ａの中央に近づくと（図中Ｒ２で示される領域）線対称の中心線から離れるように円弧形状をとり、付勢部７２ａの中央近傍（図中Ｒ３で示される領域）では線対称の中心線にほぼ平行な形状となる。付勢部７２ａがこのような形状を採ることで、Ｒ１で示される領域の付勢部を軸として、Ｒ３で示される領域の付勢部が図面に垂直な方向に撓みやすくなり、そのたわみによって付勢部７２ａが図面に垂直な方向に付勢力を発揮することが可能となる。また突起部７２ｃは、概ね円柱状の突起形状を有しており、突起部７２ｂは、突起部７２ｃより若干の横幅を有する形状である。尚、この横幅は、レーン部材６の開口部６３の幅より若干小さい。
【００４４】
ベース部材７３は、図１１に示すようにベース部７３ａの中央にネジ孔７３ｂが３個設けられる。更に、ベース部７３ａの一端面側に段付き部７３ｃが、ベース部７３ａの長手方向に沿って設けられている。尚、この段付き部７３ｃの幅（図面上下方向の幅）は、レ
ーン部材６の開口部６３の幅より若干小さい。
【００４５】
上述した付勢部材７２およびベース部材７３の、レーン部材６の溝部６４内におけるスライディングブロックとしての機能の発揮について図１２に基づいて説明する。図１２に示すのは、レーン部材６の溝部６４内におけるスライディングブロックの様子である。溝部６４は、上述したように中心部６０から延びる隔壁６１と壁面６２のそれぞれの内壁面によって形成され、その断面形状は略六角形である。ここで、図１２に示すように、溝部６４の断面における略六角形の頂点をＳ１〜Ｓ６と称するとともに、開口部６３を構成する頂点をＴ１、Ｔ２と称する。
【００４６】
まず、図１２（ａ）に示すように、溝部６４に対して付勢部材７２を開口部６３から滑り込ませる。このとき突起部７２ｃが溝部６４の奥部（頂点Ｓ３、Ｓ４の近傍）に位置し、突起部７２ｂが開口部６３の近傍（頂点Ｔ１、Ｔ２の間）に位置する。また、付勢部７２ａの領域Ｒ３に位置する部分は、溝部６４の頂点Ｓ１、Ｓ２間および頂点Ｓ５、Ｓ６間の内壁面近傍に位置する。このとき、付勢部７２ａと該内壁面との間には僅かな間隙が存在するため、付勢部７２ａは撓んだ状態とはなっていない。
【００４７】
図１２（ａ）に示す状態では、突起部７２ｂを介して付勢部材７２をレーン部材６の溝部６４内を自在に移動させることが可能である。溝部６４の任意の位置に付勢部材７２を移動させた後、図１２（ｂ）に示すように溝部６４内にベース部材７３を挿入させる。このとき、ベース部材７３は、付勢部材７２の付勢部７２ａの突起部７２ｂが突出している側の面上に、ベース部材７３の段付き部７３ｃが設けられていない面が接触し、該段付き部７３ｃが開口部６３に位置する。
【００４８】
図１２（ｂ）に示す状態においては、付勢部材７２の付勢部７２ａはベース部材７３によって溝部６４の奥部に押し込まれるため、付勢部７２ａの領域Ｒ３に位置する部分は、隔壁６１によって形成される内壁面（頂点Ｓ２、Ｓ３間、および頂点Ｓ４、Ｓ５間）に接触することになる。この内壁面は、溝部６４の奥部に進むに従い、幅が狭くなる。そのため、図１２（ｂ）に示す状態では、付勢部材７２の付勢部７２ａは上述したように撓み、その撓みに起因してベース部材７３に対して、それを開口部６３近くの壁面６２に押し付ける付勢力を発生させる。その結果、付勢部材７２とベース部材７３とから構成されるスライディングブロックは、レーン部材６内の任意の位置に固定される。
【００４９】
そして、レーン部材６内に固定されたスライディングブロックのネジ孔７３ｂに対して、パネルを保持する保持部材（例えば、後述する図１４の保持脚部材８２）をネジで連結することで、組み立てデスク１ａにパネル（上記保持脚部材８２と横梁部材８１とで構成される。）を立設することが可能となる。
【００５０】
ここで、一度任意の位置に固定されたスライディングブロックに対して、その固定位置を変更する際の様子について、図１３に基づいて説明する。先ず、図１３（ａ）に示すように、付勢部材７２に付勢力が与えられているベース部材７３を、矢印の方向に、完全に付勢部材７２から付勢力が与えられない位置までずらす。このとき、溝部６４を断面方向から見ると、図１３（ｂ）に示すとおりである。付勢部材７２は、ベース部材７３が外されたことで、図１３（ｂ）に示す状態となる。このとき、ベース部材７３は、溝部６４内において、付勢部材７２が存在する空間以外の空間に存在することになる。
【００５１】
しかし、図１３（ｂ）に示すように、ベース部材７３は、溝部６４内において付勢部材７２の突起部７２ｃに干渉する状態となる。このことは、ベース部材７３が、付勢部材７２による付勢力から解放された状態となっても、溝部６４内において自在に移動可能ではなく、付勢部材７２によってその移動が制限されることを意味する。これにより、ベース
部材７３が付勢部材７２からいたずらに離れてしまうことを回避できる。尚、ベース部材７３を付勢部材７２による付勢力から解放した後は、ベース部材７３を開口部６３から取り外し、付勢部材７２を新たな位置に移動させた後に改めてベース部材７３を溝部６４内に挿入することで、スライディングブロックの固定を行える。
【００５２】
このように構成されるレーン部材６とスライディングブロックを利用して、組み立てデスク１ａ上に立設されたパネル８０の一例を、図１４に示す。図１４に示されるフレーム８０は、横梁部材８１と保持脚部材８２で構成される。即ち、二本の保持脚部材８２がそれぞれ、レーン部材６の任意の場所に上記スライディングブロックで固定され、両保持脚部材８２の間の距離に応じた横梁部材８１がこれらの保持脚部材８２に接合されることで、パネル８０が構成されている。ユーザは、図１４に示すように、パネル８０にコンピュータ用のディスプレイ８３を複数台（図示の状態は二台）設置したり、その他必要な機器等を設置したりすることが可能となる。
【００５３】
また、ユーザは、図１５に示すようにパネル８０に設置するディスプレイ８３の数を減らしたい場合には（図１５に示すのはディスプレイの台数を一台に減らした場合）、上述したように、一方の保持脚部材８２をスライディングブロックから外した後、該スライディングブロックを移動させて再び保持脚部材８２をそこに連結する。そして、図１４に示す横梁部材８１より短い横梁部材８１で、二本の保持脚部材８２をつなぐことで、図１５に示すコンパクトなパネル８０を形成することが可能となる。即ち、本発明の実施例においては、パネル８０の大きさを任意に調整することが可能となる。
【００５４】
上述したように、図７又は図８に示すカバー部材７およびレーン部材６によってケーブルダクト４の開口面を覆うことで、ユーザは第二カバー部７ｂを介した収納ケーブルへのアクセス性を維持するとともに、パネル８０の利便性を享受することができる。また、第二カバー部７ｂによるアクセス開口部の位置も容易に変更できる。
【００５５】
ここで、ケーブルダクト４の開口面を覆うカバー部材の他の態様について、図１７および図１８に基づいて説明する。この態様では、図１６に示すように、該開口面上にはレーン部材６は設置されずカバー部材７’と固定部材５が設置される。このカバー部材７’も上記と同様に第一カバー部７ａ’と第二カバー部７ｂ’から構成される。第一カバー部７ａ’は上記第一カバー部７ａと、第二カバー部７ｂ’は上記第二カバー部７ｂと機能的に一致するため、それぞれの詳細な説明は省略する。ただし、第二カバー部７ｂ’のカバー面積は、レーン部材６が設置されないことを考慮して、先の第二カバー部７ｂのカバー面積より広く形成されている。
【００５６】
図１７は、図７に相当する図であり、ケーブルダクト４側に設置されているカバー固定部材９は、両図とも同じである。ここで、図１７（ａ）では、第二カバー部７ｂ’が天板３側に位置するようにカバー部材７’が配置され、そしてケーブルダクト４に対して固定されるが、このとき固定端７ｃ’は、三個の固定端受け部９ａのうち、図１７中最も天板３側に位置する固定端受け部９ａによって受けられる。その結果、図１７（ｂ）に示すように、アクセス開口部は天板３近傍に形成されることになる。そして、このアクセス開口部の広さ、即ち開口面積は、図７（ｂ）に示すアクセス開口部の広さより広い。
【００５７】
また、カバー部材７’においても、カバー部材７の場合と同様に、第二カバー部７ｂ’と第一カバー部７ａ’の相対位置関係を変更することで、該第二カバー部７ｂ’によるアクセス開口部の位置も変更できる。その開口部が変更された状態を図１８に示す。このとき、固定端７ｃ’は、三個の固定端受け部９ａのうち、図１７中最も集合体１の中央部分側に位置する固定端受け部９ａによって受けられる。その結果、図１８に示すように、アクセス開口部も集合体１の中央部分側に形成されることになる。
【００５８】
更に、ケーブルダクト４の開口面を覆うカバー部材の他の態様について、図１９に基づいて説明する。この態様では、該開口面上にはレーン部材６は設置されず一つのカバー部材７’’のみが設置される。このカバー部材７’’は、上述までのカバー部材７およびカバー部材７’と異なり、第二カバー部材７ｂ又は第二カバー部材７ｂ’に相当する開閉可能な蓋部は存在しない。即ち、カバー部材７’’は単にケーブルダクト４の開口面の一部を覆うのみである（図１９（ａ）を参照）。また、本態様においても、ケーブルダクト４側に設置されているカバー固定部材９は、先に示した二つの態様のカバー固定部材９と同じである。
【００５９】
この態様では、図１９（ｂ）に示すように、固定端７ｃ’’は、三個の固定端受け部９ａのうち、図１９中最も天板３側に位置する固定端受け部９ａによって受けられる。そして、カバー部材７’’端部と、天板３との間には一定の空間が形成される。従って、ユーザは、この空間を介してケーブルダクト４に収納されたケーブルにアクセスすることが可能である。尚、この態様でケーブルダクト４に収納されたケーブルに大量にアクセスすることが必要な場合には、図１９（ｃ）に示すように、一方の固定端７ｃ’’を固定端受け部９ａに入れた状態で、他方の固定端７ｃ’’をその固定端受け部９ａから外せばよい。
【００６０】
以上をまとめると、本発明の実施例に係る組み立てデスク１ａおよびその集合体においては、ユーザは、同一のカバー固定部材９をケーブルダクト４に設置した状態で、複数種類のカバー部材の中から一つを選んで該カバー固定部材９に固定することで、ケーブルを引き出すためのアクセス開口部の広さを、自己の組み立てデスク１ａに配線されるべき配線量に応じて選択的に変更することができる。即ち、配線量が比較的多くそれらを天板３上に引き出すためには、図１７又は図１８に示したカバー部材７’を使用し、配線量が比較的少ないときは、図７又は図８に示したカバー部材７を使用すればよい。このようにすることで、配線量が比較的多い場合には、その配線を確実に実現することができ、配線量が比較的少ない場合には、その配線を確実にするのはもちろんのこと、アクセス開口部の広さを小さくすることでパネル８０設置のための空間を生じさせ、以て組み立てデスクでの作業効率向上に寄与させることが可能となる。
【００６１】
以上の開示に基づいて、本発明に係る組み立てデスク１ａの集合体の一例を、図２０にまとめる。図２０は、本発明に係る組み立てデスク１ａに相当する１０１〜１０６が連結されて六台によるデスクの集合体が形成されている。尚、これらの組み立てデスクのうち、背面側同士が突き合わされて一対の組み立てデスクの集合体１となっているのは、１０１と１０２、１０３と１０４、１０５と１０６のそれぞれである。ここで、組み立てデスク１０１と１０２には、図７又は図８に示すカバー部材１４０とレーン部材１６０が設けられている。一方で、組み立てデスク１０３と１０４には、図１７又は図１８に示すカバー部材１４１が設けられている。組み立てデスク１０５と１０６には、上述のようなカバー部材は設けられていない。
【００６２】
このように、本発明に係る組み立てデスクの集合体においては、一般にはユーザの組み立てデスクでの作業によって決まるケーブルの配線量に応じて、ケーブル収納部の有するアクセス開口部の広さを適宜選択することが可能である。これにより、確実なケーブル収納と、デスク上の空間の効率的利用との両立が図られる。
【００６３】
また、図１４、図１５に示すパネル８０の立設態様に代えて、横に隣接する一対の組み立てデスク同士に渡るパネルを設けるようにしてもよい。例えば、図１２に示す状態で、組み立てデスク１０３、１０４のおいても、カバー部材１４０およびレーン部材１６０を設けることで、二本並んだパネル支持レーン部材１６０を利用して横に隣接する一対の組み立てデスクに渡るパネルの設置が可能となる。
【図面の簡単な説明】
【００６４】
【図１】本発明の実施例に係る組み立てデスクの概略構成を表す図である。
【図２】図１に示す組み立てデスクによって形成されるデスクの集合体を示す図である。
【図３】図１に示す一対の組み立てデスクの集合体の天板を外した状態を示す図である。
【図４Ａ】本発明の実施例に係る一対の組み立てデスクの集合体の断面図である。
【図４Ｂ】本発明の実施例に係る一対の組み立てデスクの集合体の上面図である。
【図５】本発明の実施例に係る一対の組み立てデスクの集合体に設けられるケーブルダクトの開口部を覆う各部品を示す第一の図である。
【図６】本発明の実施例に係る一対の組み立てデスクの集合体に設けられるケーブルダクトに設置される、カバー固定部材の設置状態を示す図である。
【図７】本発明の実施例に係る一対の組み立てデスクの集合体において、ケーブルダクトの開口面を覆うカバー部材の第一の設置態様を示す図である。
【図８】図７に示すカバー部材の設置態様の変形例である。
【図９】本発明の実施例に係る一対の組み立てデスクの集合体においてパネルを立設するためのレーン部材の構成を示す図である。
【図１０】図９に示すパネル支持レーン部材で使用される、固定用のスライディングブロックの構成を示す第一の図である。
【図１１】図９に示すパネル支持レーン部材で使用される、固定用のスライディングブロックの構成を示す第二の図である。
【図１２】本発明の実施例に係るスライディングブロックの動きを説明する第一の図である。
【図１３】本発明の実施例に係るスライディングブロックの動きを説明する第二の図である。
【図１４】本発明の実施例に係る一対の組み立てデスクの集合体において立設されたパネルの態様を示す第一の図である。
【図１５】本発明の実施例に係る組み立てデスクの集合体に立設されたパネルの態様を示す第二の図である。
【図１６】本発明の実施例に係る一対の組み立てデスクに設けられるケーブルダクトの開口部を覆う各部品を示す第二の図である。
【図１７】本発明の実施例に係る一対の組み立てデスクの集合体において、ケーブルダクトの開口面を覆うカバー部材の第二の設置態様を示す図である。
【図１８】図１７に示すカバー部材の設置態様の変形例である。
【図１９】本発明の実施例に係る一対の組み立てデスクの集合体において、ケーブルダクトの開口面を覆うカバー部材の第三の設置態様を示す図である。
【図２０】本発明の実施例に係る組み立てデスクによって形成されるデスクの集合体の概略構成の一例を表す図である。
【符号の説明】
【００６５】
１・・・・一対の組み立てデスクの集合体
１ａ・・・・組み立てデスク
２・・・・脚
３・・・・天板
４・・・・ケーブル収納部
５・・・・固定部材
６・・・・レーン部材
７・・・・カバー部材
７ａ、７ａ’・・・・第一カバー部
７ｂ、７ｂ’・・・・第二カバー部
９・・・・カバー固定部材
８０・・・・パネル
８１・・・・保持脚部材
８２・・・・横梁部材
【図１】
0005235377.tif 000002
【図２】
0005235377.tif 000003
【図３】
0005235377.tif 000004
【図４Ａ】
0005235377.tif 000005
【図４Ｂ】
0005235377.tif 000006
【図５】
0005235377.tif 000007
【図６】
0005235377.tif 000008
【図７】
0005235377.tif 000009
【図８】
0005235377.tif 000010
【図９】
0005235377.tif 000011
【図１０】
0005235377.tif 000012
【図１１】
0005235377.tif 000013
【図１２】
0005235377.tif 000014
【図１３】
0005235377.tif 000015
【図１４】
0005235377.tif 000016
【図１５】
0005235377.tif 000017
【図１６】
0005235377.tif 000018
【図１７】
0005235377.tif 000019
【図１８】
0005235377.tif 000020
【図１９】
0005235377.tif 000021
【図２０】
0005235377.tif 000022